(57)【要約】【課題】「制御の隙間」を生じることなく直ちにインターロック制御を行う。安価な入退室管理システムとする。【解決手段】電気錠コントローラ４に、制御出力ポートＰ１と状態入力ポートＰ２に加え、制御出力ポートＰ３と状態入力ポートＰ４を設ける。制御出力ポートＰ１と状態入力ポートＰ２を電気錠３ＡにケーブルＬ１，Ｌ２により接続し、制御出力ポートＰ３と状態入力ポートＰ４を電気錠３ＢにケーブルＬ３，Ｌ４により接続する。状態入力ポートＰ２に電気錠３Ａが解錠されたことを示す信号が入力された場合、制御出力ポートＰ３より電気錠３Ｂに解錠を禁止する信号を送る。状態入力ポートＰ４に電気錠２Ｂが解錠されたことを示す信号が入力された場合、制御出力ポートＰ１より電気錠３Ａに解錠を禁止する信号を送る。【選択図】  図１
2007146369.tif 000002
【特許請求の範囲】
【請求項１】
管理対象室への出入り口に設けられた第１および第２のドアと、この第１および第２のドアの施解錠をそれぞれ行う第１および第２の電気錠と、この第１および第２の電気錠の施解錠を制御する電気錠コントローラとを備え、
前記電気錠コントローラは、
前記第１の電気錠と有線で接続される第１の制御出力ポートと第１の状態入力ポートと、
前記第２の電気錠と有線で接続される第２の制御出力ポートと第２の状態入力ポートと、
前記第１の状態入力ポートに前記第１の電気錠が解錠されたことを示す状態信号が入力された場合、前記第２の制御出力ポートより前記第２の電気錠に解錠を禁止する制御信号を送り、前記第２の状態入力ポートに前記第２の電気錠が解錠されたことを示す状態信号が入力された場合、前記第１の制御出力ポートより前記第１の電気錠に解錠を禁止する制御信号を送る制御手段と
を備えたことを特徴とする入退室管理システム。
【請求項２】
管理対象室への出入り口に設けられた第１および第２のドアと、この第１および第２のドアの施解錠をそれぞれ行う第１および第２の電気錠と、この第１および第２の電気錠の施解錠を制御する電気錠コントローラとを備え、
前記電気錠コントローラは、
前記第１の電気錠と有線で接続される第１の制御出力ポートと、
前記第２の電気錠と有線で接続される第２の制御出力ポートと、
前記第１の制御出力ポートより前記第１の電気錠に解錠を指示する制御信号を送る場合、前記第２の制御出力ポートより前記第２の電気錠に解錠を禁止する制御信号を送り、前記第２の制御出力ポートより前記第２の電気錠に解錠を指示する制御信号を送る場合、前記第１の制御出力ポートより前記第１の電気錠に解錠を禁止する制御信号を送る制御手段と
を備えたことを特徴とする入退室管理システム。
【発明の詳細な説明】
【技術分野】
【０００１】
この発明は、クリーンルームなどの管理対象室への入退室を管理する入退室管理システムに関するものである。
【背景技術】
【０００２】
従来より、クリーンルームなどでは、その室の出入り口に設けられたドアに電気錠を付設し、この電気錠の施解錠によってその室への入退室を管理するようにしている。
【０００３】
〔従来例１〕
図１２に従来の入退室管理システムの一例を示す。同図において、１はクリーンルーム、２Ａおよび２Ｂはクリーンルーム１の出入り口に設けられたドア、３Ａおよび３Ｂはドア２Ａおよび２Ｂに付設された電気錠、４Ａおよび４Ｂは電気錠３Ａおよび３Ｂに対して設けられた電気錠コントローラ、５Ａおよび５Ｂは照合装置、６は入退室コントローラである。この例では、照合装置５Ａおよび５Ｂとして、指紋照合装置を用いているものとする。  
【０００４】
電気錠コントローラ４Ａは制御出力ポートＰ１と状態入力ポートＰ２とを有し、電気錠３Ａは制御入力ポートＴ１と状態出力ポートＴ２とを有し、電気錠コントローラ４Ａの制御出力ポートＰ１と電気錠３Ａの制御入力ポートＴ１とがケーブルＬ１により接続され、電気錠コントローラ４Ａの状態入力ポートＰ２と電気錠３Ａの状態出力ポートＴ２とがケーブルＬ２により接続されている。
【０００５】
電気錠コントローラ４Ｂも同様に制御出力ポートＰ１と状態入力ポートＰ２とを有し、電気錠コントローラ４Ｂの制御出力ポートＰ１と電気錠３Ｂの制御入力ポートＴ１とがケーブルＬ３により接続され、電気錠コントローラ４Ｂの状態入力ポートＰ２と電気錠３Ｂの状態出力ポートＴ２とがケーブルＬ４により接続されている。
【０００６】
この入退室管理システムにおいて、例えばドア２Ａからクリーンルーム１に入室したい場合、入室希望者は照合装置５Ａに対して指紋を入力する。照合装置５Ａは、入力された指紋が登録されている指紋と一致すれば、一致した旨の照合結果を電気錠コントローラ４Ａへ送る（矢印（１））。電気錠コントローラ４Ａは、照合装置５Ａからの「照合ＯＫ」の結果を得て、制御出力ポートＰ１より電気錠３Ａへ解錠を指示する制御信号を送り（矢印（２））、電気錠３Ａを解錠する。
【０００７】
クリーンルーム１では、気密性が要求され、ドア２Ａとドア２Ｂとが同時に開くと、室内の空気圧が急激に下がり、塵や埃が混入した外気が室内に入り込む虞れがある。例えば、ドア２Ｂからの入室希望者が重なり、電気錠コントローラ４Ｂが電気錠３Ｂを解錠し、ドア２Ａとドア２Ｂとが同時に開かれるということがある。
【０００８】
また、この入退室システムでは、クリーンルーム１からの退室は自由であり、照合操作を行うことなく手動で解錠して、ドア２Ａやドア２Ｂを内側から開くことができる。このため、電気錠３Ｂが内側から手動で解錠され、ドア２Ａとドア２Ｂとが同時に開かれるということがある。
【０００９】
そこで、電気錠コントローラ４Ａは、状態入力ポートＰ２に電気錠３Ａが解錠されたことを示す状態信号が入力された場合（矢印（３））、その旨をＬＡＮなどの通信回線１００を介して入退室コントローラ６へ通知する（矢印（４））。入退室コントローラ６は、電気錠コントローラ４Ａからの電気錠３Ａが解錠された旨の知らせを受けて、電気錠コントローラ４Ｂへ通信回線１００を介して電気錠３Ｂの解錠を禁止する旨の指令を送る（矢印(５)）。この入退室コントローラ６からの指令を受けて、電気錠コントローラ４Ｂは、制御出力ポートＰ１より電気錠３Ｂへ解錠を禁止する制御信号を送り（矢印（６））、電気錠３Ｂの解錠を禁止する。これにより、電気錠３Ｂの施錠が維持され、ドア２Ａとドア２Ｂとが同時に開かれることが防止される。この電気錠３Ｂの解錠を禁止する制御をインターロック制御と呼んでいる。
【００１０】
〔従来例２〕
図１３に従来の入退室管理システムの他の例を示す（例えば、特許文献１参照）。この入退室管理システムでは、図１２に示した照合装置５Ａおよび５Ｂに変えて、カードリーダ７Ａおよび７Ｂを設けている。ドア２Ａからクリーンルーム１に入室したい場合、入室希望者はカードリーダ７ＡにＩＤカード８をセットする（矢印（１））。すると、カードリーダ７ＡがＩＤカード８に書き込まれている識別情報を読み取り、通信回線１００を介して入退室コントローラ９へ送る（矢印（２））。
【００１１】
入退室コントローラ９は、カードリーダ７Ａから送られてきた識別情報に基づき、ＩＤカード８が真正な入退室許可者のカードであるか否かを判別する。この判別の結果、ＩＤカード８が、真正な入退室許可者のカードであれば、電気錠３Ｂ’が解錠されていない（施錠されている）ことを確認して（矢印（３））、電気錠コントローラ４Ａ’に解錠指令を送り（矢印（４））、電気錠３Ａ’を解錠する（矢印（５））。
【００１２】
【特許文献１】特開２００４−３３９７０２号公報
【発明の開示】
【発明が解決しようとする課題】
【００１３】
しかしながら、従来例１の入退室管理システム（図１２）では、通信回線１００を介して接続された入退室コントローラ６を通してインターロック制御を行うようにしているので、一方の電気錠３Ａ（３Ｂ）が解錠されてから他方の電気錠３Ｂ（３Ａ）の解錠が禁止されるまでの間に僅かではあるが遅れが生じ、この間にインターロックが破られる虞れがあった。
【００１４】
すなわち、電気錠３Ａ（３Ｂ）と電気錠コントローラ４Ａ（４Ｂ）との間はポート同士の接続であるので、電気錠３Ａ（３Ｂ）の解錠が接点のＯＮ／ＯＦＦという形で瞬時に電気錠コントローラ４Ａ（４Ｂ）において認識され、電気錠３Ｂ（３Ａ）の解錠の禁止が接点のＯＮ／ＯＦＦという形で電気錠コントローラ４Ｂ（４Ａ）から瞬時に行われるが、電気錠コントローラ４Ａと４Ｂとの間は入退室コントローラ６を通しての通信回線１００による接続なので、この間の情報の伝達に時間がかかる。この時間が「制御の隙間」となり、電気錠コントローラ４Ａ（４Ｂ）から電気錠コントローラ４Ｂ（４Ａ）までの通信を行っている間に、電気錠３Ｂ（３Ａ）が解錠されてしまう虞れがある。
【００１５】
従来例２の入退室管理システム（図１３）では、入退室コントローラ９において、電気錠３Ｂ’（３Ａ’）が施錠されていることを確認して、電気錠３Ａ’（３Ｂ’）を解錠するようにしているので、入室希望者が重なったとしても電気錠３Ａ’と３Ｂ’とが同時に解錠される虞れはない。しかし、入退室コントローラ９において、電気錠３Ａ’（３Ｂ’）を解錠する場合、電気錠３Ｂ’（３Ａ’）の施錠／解錠を確認しなければならず、時間がかかる。図１３に示した例では、電気錠を２つとしたが、電気錠が多い場合には、１つずつその電気錠の施錠／解錠を確認するため、インターロック制御にかなりの時間がかかる。
また、従来例１，２共に、電気錠コントローラを電気錠の数だけ必要とし、システムが高価となる。
【００１６】
本発明は、このような課題を解決するためになされたもので、その目的とするところは、「制御の隙間」を生じることなく、直ちにインターロック制御を行うことができる、安価な入退室管理システムを提供することにある。
【課題を解決するための手段】
【００１７】
このような目的を達成するために、第１発明（請求項１に係る発明）は、第１および第２の電気錠の施解錠を１つの電気錠コントローラで制御するようにし、この電気錠コントローラに、第１の電気錠と有線で接続される第１の制御出力ポートと第１の状態入力ポートと、第２の電気錠と有線で接続される第２の制御出力ポートと第２の状態入力ポートと、第１の状態入力ポートに第１の電気錠が解錠されたことを示す状態信号が入力された場合、第２の制御出力ポートより第２の電気錠に解錠を禁止する制御信号を送り、第２の状態入力ポートに第２の電気錠が解錠されたことを示す状態信号が入力された場合、第１の制御出力ポートより第１の電気錠に解錠を禁止する制御信号を送る制御手段とを設けたものである。
【００１８】
この発明において、電気錠コントローラは、第１の状態入力ポートに第１の電気錠が解錠されたことを示す状態信号が入力されると、第２の制御出力ポートより第２の電気錠に解錠を禁止する制御信号を送る。また、第２の状態入力ポートに第２の電気錠が解錠されたことを示す状態信号が入力されると、第１の制御出力ポートより第１の電気錠に解錠を禁止する制御信号を送る。電気錠コントローラと第１の電気錠および第２の電気錠との間はポート同士の接続であり、第１の電気錠の解錠（第２の電気錠の解錠）が接点のＯＮ／ＯＦＦという形で電気錠コントローラにおいて瞬時に認識され、これに応ずる第２の電気錠の解錠の禁止（第１の電気錠の解錠の禁止）が接点のＯＮ／ＯＦＦという形で電気錠コントローラから瞬時に行われる。これにより、「制御の隙間」を生じることなく、直ちにインターロック制御が行われるようになる。
【００１９】
第２発明（請求項１に係る発明）は、第１および第２の電気錠の施解錠を１つの電気錠コントローラで制御するようにし、この電気錠コントローラに、第１の電気錠と有線で接続される第１の制御出力ポートと、第２の電気錠と有線で接続される第２の制御出力ポートと、第１の制御出力ポートより第１の電気錠に解錠を指示する制御信号を送る場合、第２の制御出力ポートより第２の電気錠に解錠を禁止する制御信号を送り、第２の制御出力ポートより第２の電気錠に解錠を指示する制御信号を送る場合、第１の制御出力ポートより第１の電気錠に解錠を禁止する制御信号を送る制御手段とを設けたものである。
【００２０】
この発明において、電気錠コントローラは、第１の制御出力ポートより第１の電気錠に解錠を指示する制御信号を送ると同時に、第２の制御出力ポートより第２の電気錠に解錠を禁止する制御信号を送る。また、第２の制御出力ポートより第２の電気錠に解錠を指示する制御信号を送ると同時に、第１の制御出力ポートより第１の電気錠に解錠を禁止する制御信号を送る。電気錠コントローラと第１の電気錠および第２の電気錠との間はポート同士の接続であり、第１の電気錠の解錠（第２の電気錠の解錠）と第２の電気錠の解錠の禁止（第１の電気錠の解錠の禁止）が接点のＯＮ／ＯＦＦという形で電気錠コントローラから瞬時に行われる。これにより、「制御の隙間」を生じることなく、直ちにインターロック制御が行われるようになる。
【００２１】
本発明（第１、第２発明）では、最小構成単位として、電気錠を第１の電気錠と第２の電気錠の２つとしたが、さらに多くの電気錠を用いる場合にも同様にして適用することが可能である。この場合、全電気錠に対して１つの電気錠コントローラを設け、状態入力ポートの１つに電気錠が解錠されたことを示す状態信号が入力された場合、残りの状態入力ポートと対とされる全ての制御出力ポートより解錠を禁止する制御信号を送るようにする（第１発明）。あるいは、制御出力ポートの１つより解錠を指示する制御信号を送る場合、残りの全ての制御出力ポートより解錠を禁止する制御信号を送るようにする（第２発明）。
【発明の効果】
【００２２】
本発明によれば、第１および第２の電気錠の施解錠を１つの電気錠コントローラで制御するようにし、この電気錠コントローラの第１の状態入力ポートに第１の電気錠が解錠されたことを示す状態信号が入力された場合、第２の制御出力ポートより第２の電気錠に解錠を禁止する制御信号を送り、第２の状態入力ポートに第２の電気錠が解錠されたことを示す状態信号が入力された場合、第１の制御出力ポートより第１の電気錠に解錠を禁止する制御信号を送るようにすることにより（第１発明）、あるいは第１の制御出力ポートより第１の電気錠に解錠を指示する制御信号を送る場合、第２の制御出力ポートより第２の電気錠に解錠を禁止する制御信号を送り、第２の制御出力ポートより第２の電気錠に解錠を指示する制御信号を送る場合、第１の制御出力ポートより第１の電気錠に解錠を禁止する制御信号を送るようにすることにより（第２発明）、「制御の隙間」を生じることなく、直ちにインターロック制御を行うことができるようになる。また、１つの電気錠コントローラでインターロック制御を実現することができるので、安価な入退室管理システムとすることができる。
【発明を実施するための最良の形態】
【００２３】
以下、本発明を図面に基づいて詳細に説明する。
〔実施の形態１：第１発明〕
図１は本発明に係る入退室管理システムの一実施の形態（実施の形態１）の概略を示す図である。同図において、図１２と同一符号は図１２を参照して説明した構成要素と同一或いは同等構成要素を示し、その説明は省略する。
この実施の形態１では、図１２に従来例１として示した入退室管理システムと比較して分かるように、電気錠コントローラを１つとし、通信回線や入退室コントローラは使用していない。
【００２４】
この実施の形態１で使用する電気錠コントローラ４は、制御出力ポートＰ１および状態入力ポートＰ２に加えて、制御出力ポートＰ３および状態入力ポートＰ４を有している。すなわち、制御出力ポートＰ１と状態入力ポートＰ２との対を第１のインタフェースとした場合、第２のインタフェースとして制御出力ポートＰ３と状態入力ポートＰ４との対を備えている。
【００２５】
電気錠コントローラ４の御出力ポートＰ１は電気錠３Ａの制御入力ポートＴ１にケーブルＬ１により接続され、状態入力ポートＰ２は電気錠３Ａの状態出力ポートＴ２にケーブルＬ２により接続されている。
電気錠コントローラ４の制御出力ポートＰ３は電気錠３Ｂの制御入力ポートＴ１にケーブルＬ３により接続され、状態入力ポートＰ４は電気錠３Ｂの状態出力ポートＴ２にケーブルＬ４により接続されている。
【００２６】
以下、電気錠コントローラ４に搭載されている機能を交えながら、この入退室管理システムにおける特徴的な動作について説明する。なお、以下に説明する電気錠コントローラ４における処理は、プロセッサや記憶装置からなるハードウェアと、これらのハードウェアと協働して各種機能を実現させるプログラムとによって実現される。このプログラムは、電気錠コントローラ４のハードウェアシステムに組み込まれている記憶装置、例えばフラッシュメモリに格納されている。
【００２７】
〔ドア２Ａからの入室〕
この入退室管理システムにおいて、ドア２Ａからクリーンルーム１に入室したい場合、入室希望者は照合装置５Ａに対して指紋を入力する。照合装置５Ａは、入力された指紋が登録されている指紋と一致すれば、一致した旨の照合結果を電気錠コントローラ４へ送る（図１：矢印（１））。電気錠コントローラ４は、照合装置５Ａからの「照合ＯＫ」の結果を得て、制御出力ポートＰ１より電気錠３Ａへ解錠を指示する制御信号を送り（図１：矢印（２））、電気錠３Ａを解錠する。
【００２８】
電気錠３Ａが解錠されると、電気錠コントローラ４の状態入力ポートＰ２には、電気錠３Ａの状態出力ポートＴ２から解錠されたことを示す状態信号が入力される（図１：矢印（３））。電気錠コントローラ４は、電気錠３Ａから解錠されたことを示す状態信号が入力されると、制御出力ポートＰ３より電気錠３Ｂへ解錠を禁止する制御信号を送り（図１：矢印（４））、電気錠３Ｂの解錠を禁止する。これにより、電気錠３Ｂの施錠が維持され、ドア２Ａとドア２Ｂとが同時に開かれることが防止される。
【００２９】
〔ドア２Ｂからの入室〕
この入退室管理システムにおいて、ドア２Ｂからクリーンルーム１に入室したい場合、入室希望者は照合装置５Ｂに対して指紋を入力する。照合装置５Ｂは、入力された指紋が登録されている指紋と一致すれば、一致した旨の照合結果を電気錠コントローラ４へ送る（図２：矢印（１））。電気錠コントローラ４は、照合装置５Ｂからの「照合ＯＫ」の結果を得て、制御出力ポートＰ３より電気錠３Ｂへ解錠を指示する制御信号を送り（図２：矢印（２））、電気錠３Ｂを解錠する。
【００３０】
電気錠３Ｂが解錠されると、電気錠コントローラ４の状態入力ポートＰ４には、電気錠３Ｂの状態出力ポートＴ２から解錠されたことを示す状態信号が入力される（図２：矢印（３））。電気錠コントローラ４は、電気錠３Ｂから解錠されたことを示す状態信号が入力されると、制御出力ポートＰ１より電気錠３Ａへ解錠を禁止する制御信号を送り（図２：矢印（４））、電気錠３Ａの解錠を禁止する。これにより、電気錠３Ａの施錠が維持され、ドア２Ｂとドア２Ａとが同時に開かれることが防止される。
【００３１】
〔ドア２Ａからの退室〕
ドア２Ａは照合操作を行うことなく内側から開くことができる。ドア２Ａを内側から手動で解錠して開くと、電気錠３Ａの状態出力ポートＴ２から解錠されたことを示す状態信号が電気錠コントローラ４の状態入力ポートＰ２へ送られる（図３：矢印(１)）。電気錠コントローラ４は、電気錠３Ａから解錠されたことを示す状態信号が入力されると、制御出力ポートＰ３より電気錠３Ｂへ解錠を禁止する制御信号を送り（図３：矢印（２））、電気錠３Ｂの解錠を禁止する。これにより、電気錠３Ｂの施錠が維持され、ドア２Ａとドア２Ｂとが同時に開かれることが防止される。
【００３２】
〔ドア２Ｂからの退室〕
ドア２Ｂは照合操作を行うことなく内側から開くことができる。ドア２Ｂを内側から手動で解錠して開くと、電気錠３Ｂの状態出力ポートＴ２から解錠されたことを示す状態信号が電気錠コントローラ４の状態入力ポートＰ４へ送られる（図４：矢印(１)）。電気錠コントローラ４は、電気錠３Ｂから解錠されたことを示す状態信号が入力されると、制御出力ポートＰ１より電気錠３Ａへ解錠を禁止する制御信号を送り（図４：矢印（２））、電気錠３Ａの解錠を禁止する。これにより、電気錠３Ａの施錠が維持され、ドア２Ｂとドア２Ａとが同時に開かれることが防止される。
【００３３】
この実施の形態１において、電気錠コントローラ４は、状態入力ポートＰ２に電気錠３Ａが解錠されたことを示す状態信号が入力されると、制御出力ポートＰ３より電気錠２Ｂに解錠を禁止する制御信号を送る。また、状態入力ポートＰ４に電気錠３Ｂが解錠されたことを示す状態信号が入力されると、制御出力ポートＰ１より電気錠３Ａに解錠を禁止する制御信号を送る。電気錠コントローラ４と電気錠３Ａおよび３Ｂとの間はポート同士の接続であり、電気錠３Ａの解錠（電気錠３Ｂの解錠）が接点のＯＮ／ＯＦＦという形で電気錠コントローラ４において瞬時に認識され、これに応ずる電気錠３Ｂの解錠の禁止（電気錠３Ａの解錠の禁止）が接点のＯＮ／ＯＦＦという形で電気錠コントローラ４から瞬時に行われる。これにより、「制御の隙間」を生じることなく、直ちにインターロック制御が行われるようになる。
【００３４】
また、この実施の形態１では、１つの電気錠コントローラ４でインターロック制御を実現できており、従来例１のように電気錠に対して個々に電気錠コントローラを必要とせず、また通信回線や入退室コントローラも不要であり、安価な入退室管理システムとすることができる。
【００３５】
〔実施の形態２：第１発明〕
図５は本発明に係る入退室管理システムの他の実施の形態（実施の形態２）の概略を示す図である。同図において、図１３と同一符号は図１３を参照して説明した構成要素と同一或いは同等構成要素を示し、その説明は省略する。この実施の形態２では、図１３に従来例２として示した従来の入退室管理システムと比較して分かるように、電気錠コントローラを電気錠コントローラ４だけとしている。
【００３６】
この実施の形態２においても、実施の形態１と同様、電気錠コントローラ４は、制御出力ポートＰ１および状態入力ポートＰ２に加えて、制御出力ポートＰ３および状態入力ポートＰ４を有している。また、電気錠コントローラ４の制御出力ポートＰ１は電気錠３Ａの制御入力ポートＴ１にケーブルＬ１により接続され、状態入力ポートＰ２は電気錠３Ａの状態出力ポートＴ２にケーブルＬ２により接続され、制御出力ポートＰ３は電気錠３Ｂの制御入力ポートＴ１にケーブルＬ３により接続され、状態入力ポートＰ４は電気錠３Ｂの状態出力ポートＴ２にケーブルＬ４により接続されている。
【００３７】
〔ドア２Ａからの入室〕
この入退室管理システムにおいて、ドア２Ａからクリーンルーム１に入室したい場合、入室希望者はカードリーダ７ＡにＩＤカード８をセットする（図５：矢印（１））。すると、カードリーダ７ＡがＩＤカード８に書き込まれている識別情報を読み取り、通信回線１００を介して入退室コントローラ９’へ送る（図５：矢印（２））。入退室コントローラ９’は、カードリーダ７Ａから送られてきた識別情報に基づき、ＩＤカード８が真正な入退室許可者のカードであるか否かを判別する。この判別の結果、ＩＤカード８が、真正な入退室許可者のカードであれば、電気錠コントローラ４に解錠指令を送る（図５：矢印（３））。
【００３８】
電気錠コントローラ４は、入退室コントローラ９’からの解錠指令を受けて、制御出力ポートＰ１より電気錠３Ａへ解錠を指示する制御信号を送り（図５：矢印（４））、電気錠３Ａを解錠する。電気錠３Ａが解錠されると、電気錠コントローラ４の状態入力ポートＰ２には、電気錠３Ａの状態出力ポートＴ２から解錠されたことを示す状態信号が入力される（図５：矢印（５））。
【００３９】
電気錠コントローラ４は、電気錠３Ａから解錠されたことを示す状態信号が入力されると、制御出力ポートＰ３より電気錠３Ｂへ解錠を禁止する制御信号を送り（図５：矢印（６））、電気錠３Ｂの解錠を禁止する。これにより、電気錠３Ｂの施錠が維持され、ドア２Ａとドア２Ｂとが同時に開かれることが防止される。
【００４０】
〔ドア２Ｂからの入室〕
この入退室管理システムにおいて、ドア２Ｂからクリーンルーム１に入室したい場合、入室希望者はカードリーダ７ＢにＩＤカード８をセットする（図６：矢印（１））。すると、カードリーダ７ＢがＩＤカード８に書き込まれている識別情報を読み取り、通信回線１００を介して入退室コントローラ９’へ送る（図６：矢印（２））。入退室コントローラ９’は、カードリーダ７Ｂから送られてきた識別情報に基づき、ＩＤカード８が真正な入退室許可者のカードであるか否かを判別する。この判別の結果、ＩＤカード８が、真正な入退室許可者のカードであれば、電気錠コントローラ４に解錠指令を送る（図６：矢印（３））。
【００４１】
電気錠コントローラ４は、入退室コントローラ９’からの解錠指令を受けて、制御出力ポートＰ３より電気錠３Ｂへ解錠を指示する制御信号を送り（図６：矢印（４））、電気錠３Ｂを解錠する。電気錠３Ｂが解錠されると、電気錠コントローラ４の状態入力ポートＰ４には、電気錠３Ｂの状態出力ポートＴ２から解錠されたことを示す状態信号が入力される（図６：矢印（５））。
【００４２】
電気錠コントローラ４は、電気錠３Ｂから解錠されたことを示す状態信号が入力されると、制御出力ポートＰ１より電気錠３Ａへ解錠を禁止する制御信号を送り（図６：矢印（６））、電気錠３Ａの解錠を禁止する。これにより、電気錠３Ａの施錠が維持され、ドア２Ｂとドア２Ａとが同時に開かれることが防止される。
【００４３】
〔ドア２Ａからの退室〕
ドア２Ａは照合操作を行うことなく内側から開くことができる。ドア２Ａを内側から手動で解錠して開くと、電気錠３Ａの状態出力ポートＴ２から解錠されたことを示す状態信号が電気錠コントローラ４の状態入力ポートＰ２へ送られる（図７：矢印(１)）。電気錠コントローラ４は、電気錠３Ａから解錠されたことを示す状態信号が入力されると、制御出力ポートＰ３より電気錠３Ｂへ解錠を禁止する制御信号を送り（図７：矢印（２））、電気錠３Ｂの解錠を禁止する。これにより、電気錠３Ｂの施錠が維持され、ドア２Ａとドア２Ｂとが同時に開かれることが防止される。
【００４４】
〔ドア２Ｂからの退室〕
ドア２Ｂは照合操作を行うことなく内側から開くことができる。ドア２Ｂを内側から手動で解錠して開くと、電気錠３Ｂの状態出力ポートＴ２から解錠されたことを示す状態信号が電気錠コントローラ４の状態入力ポートＰ４へ送られる（図８：矢印(１)）。電気錠コントローラ４は、電気錠３Ｂから解錠されたことを示す状態信号が入力されると、制御出力ポートＰ１より電気錠３Ａへ解錠を禁止する制御信号を送り（図８：矢印（２））、電気錠３Ａの解錠を禁止する。これにより、電気錠３Ａの施錠が維持され、ドア２Ｂとドア２Ａとが同時に開かれることが防止される。
【００４５】
この実施の形態２においても、実施の形態１と同様、電気錠コントローラ４は、状態入力ポートＰ２に電気錠３Ａが解錠されたことを示す状態信号が入力されると、制御出力ポートＰ３より電気錠２Ｂに解錠を禁止する制御信号を送る。また、状態入力ポートＰ４に電気錠３Ｂが解錠されたことを示す状態信号が入力されると、制御出力ポートＰ１より電気錠３Ａに解錠を禁止する制御信号を送る。電気錠コントローラ４と電気錠３Ａおよび３Ｂとの間はポート同士の接続であり、電気錠３Ａの解錠（電気錠３Ｂの解錠）が接点のＯＮ／ＯＦＦという形で電気錠コントローラ４において瞬時に認識され、これに応ずる電気錠３Ｂの解錠の禁止（電気錠３Ａの解錠の禁止）が接点のＯＮ／ＯＦＦという形で電気錠コントローラ４から瞬時に行われる。これにより、「制御の隙間」を生じることなく、直ちにインターロック制御が行われるようになる。
【００４６】
また、この実施の形態２では、１つの電気錠コントローラ４でインターロック制御を実現できており、従来例２のように電気錠に対して個々に電気錠コントローラを必要とせず、安価な入退室管理システムとすることができる。また、入退室コントローラ９’において、他の電気錠の施錠／解錠の確認をしなくてもよく、真正な入退室許可者のカードであると判別すると、直ちに電気錠コントローラ４への解錠指令が送られる。これによっても、インターロック制御のスピードがアップする。
【００４７】
〔実施の形態３：第２発明〕
実施の形態１において、例えばドア２Ａからクリーンルーム１に入室する場合（図１参照）、電気錠コントローラ４は、電気錠３Ａからの解錠されたことを示す状態信号が入力されたことを確認して（図１：矢印（３））、電気錠３Ｂへ解錠を禁止する制御信号を送る（図１：矢印（４））。これに対して、実施の形態３では、図９に示すように、照合装置５Ａからの「照合ＯＫ」の結果を受けた場合（図９：矢印（１））、電気錠コントローラ４から電気錠３Ａへ解錠を指示する制御信号を送ると同時に（図９：矢印（２））、電気錠３Ｂへ解錠を禁止する制御信号を送るようにする（図９：矢印（３））。
【００４８】
〔実施の形態４：第２発明〕
実施の形態２において、例えばドア２Ａからクリーンルーム１に入室する場合（図５参照）、電気錠コントローラ４は、電気錠３Ａからの解錠されたことを示す状態信号が入力されたことを確認して（図５：矢印（５））、電気錠３Ｂへ解錠を禁止する制御信号を送る（図５：矢印（６））。これに対して、実施の形態４では、図１０に示すように、入退室コントローラ９’からの解錠指令を受けた場合（図１０：矢印（３））、電気錠コントローラ４から電気錠３Ａへ解錠を指示する制御信号を送ると同時に（図１０：矢印（４））、電気錠３Ｂへ解錠を禁止する制御信号を送るようにする（図１０：矢印（５））。
【００４９】
なお、実施の形態３や実施の形態４では、例えばドア２Ａが内側から開かれた場合、電気錠コントローラ４から電気錠３Ｂへは解錠を禁止する制御信号が送られない。このため、ドア２Ａとドア２Ｂとが同時に開かれる虞れがある。これに対して、実施の形態１や実施の形態２では、ドア２Ａ（ドア２Ｂ）が内側から開かれた場合でも、電気錠コントローラ４から電気錠３Ｂ（電気錠３Ａ）へ解錠を禁止する制御信号が送られるので、ドア２Ａとドア２Ｂとが同時に開かれることを完全に防ぐことができる。
【００５０】
〔電気錠コントローラの具体例〕
図１１に実施の形態１や２で使用する電気錠コントローラ４の内部構成の概略を示す。電気錠コントローラ４は、ＣＰＵ４−１と、不発性メモリ４−２と、駆動回路４−３および４−４と、通信インタフェース（通信Ｉ／Ｆ）４−５と、第１のインタフェース４−６と、第２のインタフェース４−７とを備えている。
【００５１】
第１のインタフェース４−６は、制御出力ポートＰ１と、第１の状態入力ポートＰ２1 と、第２の状態入力ポートＰ２2 とを有しており、制御出力ポートＰ１は結線口Ｐ１1 ，Ｐ１2 ，Ｐ１3 を有し、第１の状態入力ポートＰ２1 は結線口Ｐ２11，Ｐ２12 ，Ｐ２13 を有し、第２の状態入力ポートＰ２2 は結線口Ｐ２21 ，Ｐ２22 を有している。
【００５２】
第２のインタフェース４−７は、制御出力ポートＰ３と、第１の状態入力ポートＰ４1 と、第２の状態入力ポートＰ４2 とを有しており、制御出力ポートＰ３は結線口Ｐ３1 ，Ｐ３2 ，Ｐ３3 を有し、第１の状態入力ポートＰ４1 は結線口Ｐ４11，Ｐ４12 ，Ｐ４13 を有し、第２の状態入力ポートＰ４2 は結線口Ｐ４21 ，Ｐ４22 を有している。
【００５３】
第１のインタフェース４−６において、制御出力ポートＰ１は電気錠３Ａのモータ部３Ａ１にケーブル（３線式のケーブル）により接続され、第１の状態入力ポートＰ２1 は電気錠３Ａのボルト状態の認識部３Ａ２にケーブル（３線式のケーブル）により接続され、第２の状態入力ポートＰ２2 は電気錠３Ａのドア開閉状態の認識部３Ａ３にケーブル（２線式のケーブル）により接続されている。
【００５４】
第２のインタフェース４−７において、制御出力ポートＰ３は電気錠３Ｂのモータ部３Ｂ１にケーブル（３線式のケーブル）により接続され、第１の状態入力ポートＰ４1 は電気錠３Ｂのボルト状態の認識部３Ｂ２にケーブル（３線式のケーブル）により接続され、第２の状態入力ポートＰ４2 は電気錠３Ｂのドア開閉状態の認識部３Ｂ３にケーブル（２線式のケーブル）により接続されている。
【００５５】
この例では、電気錠３Ａおよび３Ｂをモータ式の電気錠としており、電気錠コントローラ４の制御出力ポートＰ１およびＰ３を介するモータ部３Ａ１および３Ｂ１への順回転指令と逆回転指令によって、ボルト３Ａ４および３Ｂ４の動作が制御される。
【００５６】
電気錠３Ａはドア２Ａに設けられており、ボルト３Ａ４がドア２Ａの受け側に差し込まれた状態が「施錠」とされ、ボルト３Ａ４がドア２Ａの受け側から引き出された状態が「解除」とされる。電気錠３Ｂはドア２Ｂに設けられており、ボルト３Ｂ４がドア２Ｂの受け側に差し込まれた状態が「施錠」とされ、ボルト３Ｂ４がドア２Ｂの受け側から引き出された状態が「解錠」とされる。
【００５７】
電気錠３Ａにおいて、ボルト状態の認識部３Ａ２は、ドア２Ａの受け側に対するボルト３Ａ４の出し入れの状態（解錠／施錠の状態）を認識し、電気錠コントローラ４の状態入力ポートＰ２1 へ出力する。電気錠３Ｂにおいて、ボルト状態の認識部３Ｂ２は、ドア２Ｂの受け側に対するボルト３Ｂ４の出し入れの状態（解錠／施錠の状態）を認識し、電気錠コントローラ４の状態入力ポートＰ４1 へ出力する。
【００５８】
電気錠３Ａにおいて、ドア開閉状態の認識部３Ａ３は、ドア２Ａの受け側に埋め込まれたマグネットＭ１によりドア２Ａの開閉を認識し、電気錠コントローラ４の状態入力ポートＰ２2 へ出力する。電気錠３Ｂにおいて、ドア開閉状態の認識部３Ｂ３は、ドア２Ｂの受け側に埋め込まれたマグネットＭ２によりドア２Ｂの開閉を認識し、電気錠コントローラ４の状態入力ポートＰ４2 へ出力する。
【００５９】
なお、この例では、電気錠３Ａおよび３Ｂをモータ式の電気錠としたが、電気錠にはモータ式の電気錠以外にも「通電時施錠型」，「通電時解錠型」，「瞬時通電施解錠型」と様々なタイプがある。電気錠３Ａや３Ｂとして異なるタイプの電気錠を用いる場合には、不揮発性メモリ４−２に記憶された「錠設定値」をＣＰＵ４−１が読み取って、制御出力ポートＰ１およびＰ３から出力する制御信号を錠設定値により切り替えることで、制御し分けるようにする。
【００６０】
また、この電気錠コントローラ４では、電気錠３Ａのボルト状態の認識部３Ａ２より解錠されたことを示す信号が状態入力ポートＰ２1 に入力されると、制御出力ポートＰ３より電気錠３Ｂのモータ部３Ｂ１へ解錠を禁止する制御信号が出力される。また、電気錠３Ｂのボルト状態の認識部３Ｂ２より解錠されたことを示す信号が状態入力ポートＰ４1 に入力されると、制御出力ポートＰ１より電気錠３Ａのモータ部３Ａ１へ解錠を禁止する制御信号が出力される。この場合、電気錠３Ａや３Ｂの解錠を禁止する制御信号として、強制ロック信号を出力する。
【００６１】
上述した実施の形態１〜４では、クリーンルーム１に電気錠３Ａと電気錠３Ｂの２つしか設けられていないものとして説明したが、さらに多くの電気錠を用いる場合にも同様にして適用することが可能である。この場合、全電気錠に対して１つの電気錠コントローラを設け、状態入力ポートの１つに電気錠が解錠されたことを示す状態信号が入力された場合、残りの状態入力ポートと対とされる全ての制御出力ポートより解錠を禁止する制御信号を送るようにする。あるいは、制御出力ポートの１つより解錠を指示する制御信号を送る場合、残りの全ての制御出力ポートより解錠を禁止する制御信号を送るようにする。
【図面の簡単な説明】
【００６２】
【図１】本発明に係る入退室管理システムの一実施の形態（実施の形態１）の概略を示す図である。
【図２】この入退室管理システムにおけるドア２Ｂからの入室時のインターロック制御を説明する図である。
【図３】この入退室管理システムにおけるドア２Ａからの退室時のインターロック制御を説明する図である。
【図４】この入退室管理システムにおけるドア２Ｂからの退室時のインターロック制御を説明する図である。
【図５】本発明に係る入退室管理システムの他の実施の形態（実施の形態２）の概略を示す図である。
【図６】この入退室管理システムにおけるドア２Ｂからの入室時のインターロック制御を説明する図である。
【図７】この入退室管理システムにおけるドア２Ａからの退室時のインターロック制御を説明する図である。
【図８】この入退室管理システムにおけるドア２Ｂからの退室時のインターロック制御を説明する図である。
【図９】本発明に係る入退室管理システムの他の実施の形態（実施の形態３）の概略を示す図である。
【図１０】本発明に係る入退室管理システムの他の実施の形態（実施の形態４）の概略を示す図である。
【図１１】実施の形態１や２で使用する電気錠コントローラの内部構成の概略を示す図である。
【図１２】従来の入退室管理システムの一例（従来例１）を示す図である。
【図１３】従来の入退室管理システムの他の例（従来例２）を示す図である。
【符号の説明】
【００６３】
１…クリーンルーム、２Ａ，２Ｂ…ドア、３Ａ，３Ｂ…電気錠、４…電気錠コントローラ、５Ａ，５Ｂ…照合装置、７Ａ，７Ｂ…カードリーダ、８…ＩＤカード、９’…入退室コントローラ、Ｐ１…制御出力ポート、Ｐ２…状態入力ポート、Ｐ３…制御出力ポート、Ｐ４…状態入力ポート、Ｌ１〜Ｌ４…ケーブル、Ｔ１…制御入力ポート、Ｔ２…状態出力ポート、４−１…ＣＰＵ、４−２…不揮発性メモリ、４−３，４−４…駆動回路と、４−５…通信インタフェース（通信Ｉ／Ｆ）、４−６…第１のインタフェース、４−７…第２のインタフェース、３Ａ１，３Ｂ１…モータ部、３Ａ２，３Ｂ２…ボルト状態の認識部、３Ａ３，３Ｂ３…ドア開閉状態の認識部、３Ａ４，３Ｂ４…ボルト、Ｍ１，Ｍ２…マグネット、１００…通信回線。
【図１】
2007146369.tif 000003
【図２】
2007146369.tif 000004
【図３】
2007146369.tif 000005
【図４】
2007146369.tif 000006
【図５】
2007146369.tif 000007
【図６】
2007146369.tif 000008
【図７】
2007146369.tif 000009
【図８】
2007146369.tif 000010
【図９】
2007146369.tif 000011
【図１０】
2007146369.tif 000012
【図１１】
2007146369.tif 000013
【図１２】
2007146369.tif 000014
【図１３】
2007146369.tif 000015